(57)【要約】【課題】  少ない測定点数で吸収冷温水機の性能を評価する方法、及びこれを用いた診断システムを提供する。【解決手段】  測定手段２は吸収冷温水機内の温度あるいは圧力を測定し、シミュレータ３は熱交換器汚れ係数等の動作諸量をパラメータとして吸収冷温水機のサイクル動作状態を計算し、重み関数計算部１４は測定結果や計算結果から重み関数を計算し、目的関数計算部１５は測定結果と計算結果と重み関数から目的関数である重み付き残差を計算し、評価装置１はこの目的関数を最小化させることで吸収冷温水機の動作諸量を計算する。【選択図】  図１
2007017032.tif 000002
【特許請求の範囲】
【請求項１】
吸収冷温水機のサイクル動作状態を計算するシミュレータと、温度あるいは圧力を測定する測定手段と、前記吸収冷温水機の動作諸量を計算する評価手段とを備え、前記測定手段は前記吸収冷温水機内の温度あるいは圧力を所定の周期で測定し、前記シミュレータは動作諸量をパラメータとして前記吸収冷温水機のサイクル動作状態を計算し、前記評価手段は前記測定手段の測定結果と測定点における前記シミュレータの計算結果との重み付き残差を目的関数とし、前記目的関数が最小となるパラメータを計算して動作諸量を評価することを特徴とする吸収冷温水機の性能評価方法。
【請求項２】
重み付き残差を計算するための重み関数が測定結果、又はパラメータに対する温度あるいは圧力の変化率である感度係数で構成されることを特徴とする請求項１に記載の性能評価方法。
【請求項３】
吸収冷温水機と、前記吸収冷温水機の温度あるいは圧力を測定する測定手段と、前記吸収冷温水機の動作状態を診断する診断装置とを備えた吸収冷温水機の診断システムであって、前記診断装置は前記吸収冷温水機のサイクル動作状態を計算するシミュレータと前記吸収冷温水機の動作諸量を計算する評価手段とを備え、前記診断装置は前記測定手段による測定結果を所定の周期で取得するとともに前記診断装置に設けたデータ記憶装置に格納し、前記シミュレータは動作諸量をパラメータとして前記吸収冷温水機のサイクル動作状態を計算し、前記憶装置に格納された測定結果と測定点における前記シミュレータの計算結果との重み付き残差を目的関数とし、前記目的関数が最小となるパラメータを計算して動作諸量を評価し、前記吸収冷温水機の動作状態を診断することを特徴とする吸収冷温水機の診断システム。
【請求項４】
吸収冷温水機と、前記吸収冷温水機の温度あるいは圧力を測定する測定手段と、前記吸収冷温水機の運転状態を監視する監視装置と、前記監視装置を制御する管制センタと、前記吸収冷温水機の動作状態を診断する診断装置とを備えた吸収冷温水機の遠隔診断システムであって、前記監視装置と前記管制センタは情報通信ネットワークを介して接続され、前記診断装置は前記吸収冷温水機のサイクル動作状態を計算するシミュレータと前記吸収冷温水機の動作諸量を計算する評価手段とを備え、前記監視装置は前記測定手段による測定結果を所定の周期で取得するとともに前記監視装置に設けたデータ記憶装置に格納し、前記監視装置は前記管制センタから送信されるデータ送信命令に基づき前記データ記憶装置に格納された測定結果を前記管制センタに送信し、前記管制センタは前記監視装置から送信された測定結果を前記診断装置に送信し、前記シミュレータは動作諸量をパラメータとして前記吸収冷温水機のサイクル動作状態を計算し、前記評価手段は前記管制センタから送信された測定結果と測定点における前記シミュレータの計算結果との重み付き残差を目的関数とし、前記目的関数が最小となるパラメータを計算して動作諸量を評価し、前記吸収冷温水機の動作状態を診断することを特徴とする吸収冷温水機の診断システム。
【請求項５】
管制センタ内に診断装置を設けることを特徴とする請求項４に記載の診断システム。
【請求項６】
管制センタと複数の診断装置が第２の情報通信ネットワークを介して接続されることを特徴とする請求項４に記載の診断システム。
【発明の詳細な説明】
【技術分野】
【０００１】
本発明は、吸収式冷凍機に代表される吸収冷温水機に関し、吸収冷温水機の性能評価方法、およびこれを用いた診断システムに関するものである。
【背景技術】
【０００２】
吸収冷温水機は蒸発器、吸収器、再生器、凝縮器等の熱交換器が配管で相互に接続されてサイクルが構成されている。吸収冷温水機のサイクルは前記各熱交換器における温度差や圧力差で動作するため、吸収冷温水機の性能はこれらの熱交換器の熱交換性能（伝熱性能）に大きく左右される。すなわち、吸収冷温水機の性能を評価し、性能低下要因を診断するためには各熱交換器の熱交換性能を把握する必要がある。
【０００３】
吸収冷温水機で熱交換性能の低下が顕著に現れるのは凝縮器である。吸収冷温水機では、吸収器や凝縮器において発生する吸収熱や冷媒の凝縮熱を放熱するために冷却水を機内に通水しており、冷却水は屋外に設けた冷却塔との間で循環している。従って、冷却塔において冷却水に混入した外気中の汚れが凝縮器の伝熱面に付着して熱交換性能が低下することになる。また、その他の熱交換器についても溶液や冷媒に含まれる不純物等の影響により熱交換性能が低下することがある。
【０００４】
そのため、特許文献１では、凝縮器などの熱交換量を算出するために、凝縮器内を流れる冷却水の流量を直接測定することなく、吸収器における熱交換量に基づいて冷却水量を推定し、熱交換率の低下を正確に検知することができる故障診断システムが開示されている。
【０００５】
また、特許文献２には、吸収器と凝縮器を通過する冷却水配管の伝熱面の汚れによって影響を受けることとなる複数箇所の温度を検出して、この検出結果に基づいて伝熱性能の低下を演算処理により求めることが開示されている。
【０００６】
【特許文献１】特開平６−２４９５３３号公報
【特許文献２】特開平７−１５１４１６号公報
【発明の開示】
【発明が解決しようとする課題】
【０００７】
各熱交換器の出入口に温度、流量等を測定するセンサを設ける方法では必要となるセンサ数が非常に多くなり、設置スペースや設置コストの点で問題がある。また、測定点数が多いため、例えば吸収冷温水機の性能を遠隔で診断する場合にデータ通信量が多くなるといった問題も懸念される。
【０００８】
また、吸収器における熱交換量に基づいて冷却水流量を推定する方法では、冷却水流量の測定センサは省略できるものの、冷水流量を検知する手段を必要とし、スペースやコストの点で問題がある。また、温度レベルの低い吸収器での熱交換量で評価するため、温度測定誤差の影響が大きくなり、検知精度の点で問題がある。
【０００９】
本発明は、このような事情を鑑みなされたもので、少ない測定点数で吸収冷温水機の性能を評価する方法、及びこれを用いた診断システムを提供することにある。
【課題を解決するための手段】
【００１０】
本発明は、吸収冷温水機の性能を評価するために、吸収冷温水機のサイクル動作状態を計算するシミュレータと、温度あるいは圧力を測定する測定手段と、前記吸収冷温水機の動作諸量を計算する評価手段とを備え、前記測定手段は前記吸収冷温水機内の温度あるいは圧力を所定の周期で測定し、前記シミュレータは動作諸量をパラメータとして前記吸収冷温水機のサイクル動作状態を計算し、前記評価手段は前記測定手段による測定結果と測定点における前記シミュレータの計算結果との重み付き残差を目的関数として、この目的関数が最小となるパラメータを計算することで動作諸量を評価することを最も主要な特徴とする。
【００１１】
また、重み付き残差を計算するための重み関数は測定結果、又はパラメータに対する温度あるいは圧力の変化率である感度係数で構成されることが望ましい。
【発明の効果】
【００１２】
本発明の性能評価方法は、冷水流量、冷却水流量、熱交換性能指標（汚れ係数、劣化率）といったパラメータを計算する際に、単に計算結果と測定結果との差（残差）を目的関数とするのではなく、計算結果と測定結果との差に、測定結果又は感度係数で構成される重み関数を乗じた重み付き残差を目的関数とし、この目的関数を最小化させる方法であるので、温度あるいは圧力の測定誤差の影響を少なくすることができ、性能評価の精度が向上する。また、目的関数として重み付き残差を用いるので、例えば温度と圧力、といった物理的性質、単位の異なる異種データを同じ尺度で比較できるという利点がある。
【００１３】
さらに、本発明の性能評価方法によれば、複数時刻の測定結果をまとめて用いて評価することで測定点数を少なくできるという利点がある。
【発明を実施するための最良の形態】
【００１４】
少ない測定点数で吸収冷温水機の性能を精度よく評価する方法、及びこれを用いた吸収冷温水機の診断システムを構築した。
【実施例１】
【００１５】
図１は本発明の第１の実施例を説明するためのブロック図である。また、図２は本発明の第１の実施例を説明するためのフローチャートである。図１に示す診断装置は、評価装置１、測定装置２、シミュレータ３、パラメータ設定部４、計算条件設定部５から構成されている。さらに、評価装置１は、測定結果入力部１２、計算結果入力部１３、重み関数計算部１４、目的関数計算部１５、評価誤差判定部１６、パラメータ修正部１７から構成されている。
【００１６】
測定装置２は、所定の周期で第３図に示す吸収冷温水機内の温度あるいは圧力を測定する。測定内容や測定点等は後述する。評価装置１は、測定結果入力部１２を介して測定装置２の測定結果を取得する。一方、シミュレータ３は、計算条件設定部５で設定された計算条件、及びパラメータ設定部４で設定されたパラメータを用いて吸収冷温水機内のサイクル動作状態をシミュレーションする。また、評価装置１は、計算結果入力部１３を介してシミュレータ３の計算結果を取得する。重み関数計算部１４は取得した測定結果、または計算結果から重み関数を計算する。次に、目的関数計算部１５は、測定結果と、計算結果と、重み関数計算部１４が計算した重み関数とを用いて重み付き残差を計算し、これを目的関数とする。評価誤差判定部１６は、目的関数計算部１５が計算により求めた目的関数が最小値であるかどうかを判定し、最小値でないと判断した場合はパラメータ修正部１７にてパラメータの値を修正する。パラメータ設定部４はパラメータ修正部１７から修正されたパラメータを受け取り、それをシミュレータ３に送る。シミュレータ３は修正されたパラメータを用いて再びサイクル動作状態をシミュレーションする。評価誤差判定部１６が、目的関数計算部１５で計算された目的関数が最小値であると判定するまで上記の操作を反復して行う。目的関数が最小値となれば、このときのパラメータの値が求める動作諸量となる。
【００１７】
次に、パラメータの選定について説明する。図３は二重効用吸収冷温水機のサイクルを説明するためのサイクル図である。図３に示すサイクルは、蒸発器２０１、吸収器２０２、凝縮器２０３、低温再生器２０４、高温再生器２０５、低温熱交換器２０６、高温熱交換器２０７、冷水配管２０８、冷却水配管２０９、溶液循環ポンプ２１５、溶液スプレポンプ２１６、冷媒スプレポンプ２１７、バーナー２１８、及び前記各要素を接続する配管から構成されている。以下、冷房の場合についてサイクル動作について説明する。
【００１８】
冷媒スプレポンプ２１７にて蒸発器２０１に散布された冷媒が蒸発する際の蒸発潜熱により、冷水配管２０８を流れる冷水が冷却される。吸収器２０２の溶液は前記蒸発器２０１で蒸発した冷媒を吸収することで溶液濃度が小さくなる。濃度が小さくなった溶液は、低温熱交換器２０６、高温熱交換器２０７で順次予熱されながら溶液循環ポンプ２１５にて高温再生器２０５に送られる。前記高温再生器２０５ではバーナー２１８の燃焼熱により溶液が濃縮され、濃縮された溶液は溶液スプレポンプ２１６にて、高温熱交換器２０７、低温熱交換器２０６で低濃度溶液を加熱した後に再び吸収器２０２に戻る。また、濃度の小さな溶液の一部は、低温熱交換器２０６から低温再生器２０４に送られる。そこで濃縮された溶液は、溶液スプレポンプ２１６にて再び吸収器２０２に戻る。高温再生器２０５で蒸発した冷媒蒸気は低温再生器２０４、凝縮器２０３で順次冷却されて液状態となり、蒸発器２０１に送られる。また、吸収器２０２で発生する吸収熱、及び凝縮器２０３で発生する凝縮熱を除去するための冷却水が吸収器側から凝縮器側に流れるように冷却水配管２０９により通水される。
【００１９】
このように、吸収冷温水機のサイクルは蒸発器、吸収器等の各熱交換器での一連の熱交換で動作している。従って、吸収冷温水機を構成する各熱交換器の熱交換性能が分かれば吸収冷温水機の性能を評価することができる。
【００２０】
そこで、パラメータ、すなわち吸収冷温水機の動作諸量として、例えば図４に示す番号５から番号１０のように選ぶことができる。パラメータとして選択されたものは、それぞれセンサを設けて測定する必要はない。また、図３に示すサイクルにおいて、冷却水配管２０９は吸収器２０２と凝縮器２０３の両方を通過するため、冷却水配管汚れ係数は熱交換器の劣化係数とは独立のパラメータとして与えるとよい（図４の番号１１）。さらに、測定点を適切に選ぶことにより、冷水流量、及び冷却水流量はパラメータとして取り扱うことができるので、これらの流量もパラメータとして追加する（図４の番号３と番号４）。これにより、冷水流量、及び冷却水流量の測定センサを省略することができる。
【００２１】
なお、吸収冷温水機の性能評価に必要なパラメータは図４に示すものに限定するものではなく、必要に応じて他のパラメータを追加してもよい。また、測定点の選び方によっては、図４に示すパラメータの一部は省略することができる。さらに、パラメータとして各測定装置の測定誤差という指標を追加することも可能であり、求められた測定誤差から、例えば測定装置の異常を検知するといったことができる。
【００２２】
次に、測定装置２の測定点について説明する。まず、吸収冷温水機全体の熱収支を考える上で、冷却熱量、燃焼熱量、冷却水への放熱量を把握する必要がある。このため、冷水出入口温度、冷却水出入口温度、燃焼ガスの出入口温度等が測定点の候補となる。この内、冷水出入口温度、冷却水出入口温度は吸収冷温水機を運転制御するために通常設けてあるため、これを利用すれば新たにセンサを設ける必要がない。なお、ここで冷水出入口温度とは冷水配管２０８の蒸発器２０１への出入口の温度（矢印方向が冷水の流れる方向）である。
【００２３】
また、吸収冷温水機のサイクル動作状態を計算するためには、吸収冷温水機内部の温度あるいは圧力が少なくとも１つ必要である。そこで、例えば高温再生器２０５の溶液温度あるいは蒸気圧力などを測定点として選ぶことができる。
【００２４】
吸収冷温水機内部の状態を代表する温度あるいは圧力として高温再生器２０５の溶液温度あるいは蒸気圧力を測定点とすることには以下に示す二つの利点がある。一つ目は、サイクル全体が大気圧を超えないようにするため、および溶液が結晶化するのを防止するために、高温再生器の温度あるいは圧力は吸収冷温水機の制御上、一般に温度センサや圧力センサが設けてあり、これらセンサを利用することで測定センサを新たに設ける必要がない点である。二つ目は、温度あるいは圧力を高精度に測定できる点である。すなわち、センサのオフセットは測定値の相対誤差ではなく絶対誤差となることが多いため、温度あるいは圧力のレベルが高いほど相対的な誤差が小さくなる。このため、サイクル中で最も温度あるいは圧力レベルが高い高温再生器２０５の温度あるいは圧力を測定点とすることにより測定精度が上がり、これによってパラメータの評価精度も向上する点である。
【００２５】
なお、本実施例では冷水流量、及び冷却水流量は測定センサを設けずにパラメータとして取り扱うため、吸収冷温水機全体の熱収支を考える上で必要な熱量のうち、冷却能力と燃料消費量（図４の番号１と番号２）はシミュレータにおける計算の未知数とする。
【００２６】
以上のように選定した測定点の数をＮｓ（本例の場合６個）、未知数の数をＮｕ（図４に示す例の場合は２個）、パラメータの数をＮｐ（図４に示す例の場合は９個）とすると、Ｎｓ、Ｎｕ、Ｎｐの間に数１の関係が成立すれば、ある時刻の測定結果だけから未知数、およびパラメータの解が一意に定まる。ここで、数１の左辺はサイクル動作状態を表す支配方程式の数、右辺は変数の数に対応する。
【００２７】
Ｎｓ＝Ｎｕ＋Ｎｐ                                …(数１）
数１の関係が成立しない場合、例えばパラメータの数Ｎｐに比べて測定点数Ｎｓが小さい場合には以下の方法による。図５は、動作諸量の計算に用いる測定結果の数を示すグラフである。前記数１の関係が成立しない場合は、図５において、例えば時刻ｔ１から時刻ｔＮのＮ時刻分の測定結果を使用して未知数及びパラメータを同定する。このとき、パラメータ（劣化係数等）が一定とみなせる、下記数２の関係を満足するＮ個分の時刻の測定結果を同時に使用することで支配方程式の数が変数の数を上回り、目的関数最小化によりパラメータを同定することができる。
【００２８】
Ｎｓ×Ｎ＞Ｎｕ×Ｎ＋Ｎｐ                        …(数２)
図４に示す未知数、及びパラメータの場合、Ｎｕ＝２、及びＮｐ＝９であるから、例えば測定点数Ｎｓ＝６とすれば、Ｎの最小値は３となり、３個分の時刻の測定結果を同時に使用すればパラメータを同定することができる。
【００２９】
以上の方法によれば、同時に使用する時刻データを増やすことにより、測定点数を増やすことなくパラメータ、すなわち動作諸量を計算することが可能となり、測定装置の設置スペースや設置コストが小さくなるという利点がある。
【００３０】
次に、目的関数の計算方法について説明する。測定点ｉ（ｉ＝１，２，・・・，Ｎｓ）の時刻ｋ（ｋ＝１，２，・・・，Ｎ）における測定結果、及びシミュレータの計算結果をそれぞれＸ（ｉ，ｋ）、Ｙ（ｉ，ｋ）とすると。測定点ｉの時刻ｋにおける残差Ｅ（ｉ，ｋ）はＸ（ｉ，ｋ）−Ｙ（ｉ，ｋ）となる。この残差に適当な重み関数Ｗ（ｉ，ｋ）を乗じた重み付き残差ε（ｉ，ｋ）をすべてのｉ、ｋについて総和をとったものを目的関数とする。また、ｉ、ｋについての総和の計算方法については、例えば平方和としてもよいし、絶対値の和としてもよい。なお、目的関数の最小値を求める方法としては、例えば非線形計画法といった手法があるが、この方法に限定するものではなく、他の手法を用いてもよいことは言うまでもない。
【実施例２】
【００３１】
図６は本発明の第２の実施例である吸収冷温水機の診断システムを説明するためのブロック図である。図６に示す第２の実施例は、大きく３つのブロックで構成される。すなわち、監視対象である監視対象機器３００と、監視対象機器３００を運転制御する制御装置３０１と監視対象機器３００や制御装置３０１の状態を監視し診断する診断装置３３０である。監視対象機器３００には、制御装置３０１や、監視対象機器３００の温度や圧力などの物理量を計測する計測手段３０２ａ及び３０２ｂを備えている。診断装置３３０は、データ取得手段３３１、データ記憶装置３３２、機器データベース３３３、解析条件設定手段３３４、解析手段３３５、解析結果出力部３３６、制御部３３７、命令入力部３３８、記憶装置３３９を備えている。
【００３２】
診断装置３３０に設けられたデータ取得手段３３１は、所定の周期、若しくは命令入力部３３８から入力される命令に基づいて、監視対象機器３００に設けてある計測手段３０２ａと計測手段３０２ｂからのデータを取得し、データ記憶装置３３２に格納する。ここで、計測手段３０２ａは、制御装置３０１により行われる監視対象機器３００の制御に用いる目的で取り付けられている。また、計測手段３０２ｂは、監視対象機器３００の性能評価を目的として取り付けられている。制御部３３７は、命令入力部３３８に解析命令が入力されると解析を実行する。
【００３３】
解析手段３３５は、機器データベース３３３の情報に基づいて解析条件設定手段３３４が設定した条件、及び監視データ記憶部３３２に格納された運転データから動作諸量であるパラメータを計算し、解析結果出力部３３６に出力すると共に、データ記憶装置３３９に解析結果を格納する。なお、解析手段は先に説明した第１の実施例の図１の構成で、図２に示した方法でパラメータを求めるものである。
【００３４】
本実施例の性能評価方法を用いた診断システムによれば、複数時刻の測定データをまとめて使用することで測定点数を少なくすることができる。従って、１回の測定の測定データ数が少なくて済むのでデータ記憶装置３３２等、の記憶容量を小さくすることができるという利点がある。また、測定点数を少なくすることができるため、性能評価のために設置する測定手段３０２ｂが少なくできるので、低コストで診断システムを構築することができる。さらに、診断結果出力部３３６に出力される診断結果に基づき、監視対象機器３００の動作状態を容易に確認することができ、日常の保守や点検作業が容易に行えるという利点がある。
【００３５】
さらに、１回分の測定データが少ない場合、同じ処理能力の装置で測定時刻点数を増やすことができため、突発的な異常の徴候をいち早く捉えることが可能になるという利点がある。
【実施例３】
【００３６】
図７は本発明の第３の実施例である吸収冷温水機の遠隔診断システムを説明するためのブロック図である。図７に示す第３の実施例は、図６の実施例おける診断装置３３０に代え監視装置３１０を設け、この監視装置３１０に第一の情報ネットワーク３４０を介して管制センタ３２０を接続し、管制センタ３２０と診断装置３３０を第二の情報ネットワーク３５０を介して接続したものである。
【００３７】
このため、監視装置３１０には監視対象機器３００の計測手段３０２ａ、３０２ｂ及び制御装置３１０からデータを取得しデータ記憶装置３１３に格納するデータ取得手段３１２や、制御部３１１の他に第一の情報ネットワークに接続されたデータ送信手段３１５や命令受信手段３１４が設けてある。管制センタ３２０には、命令入力部３２５と、データ送信条件部３２４と、第一の情報ネットワーク３４０から監視データを受信するデータ受信手段３２１と、受信したデータを格納する監視データ記憶装置３２２とが設けてある。また、診断装置３３０には、第二の情報ネットワーク３５０を介して監視データ記憶装置３２２から監視データを取得するデータ取得手段３３１と、取得した監視データを記録する監視データ記憶部３３２と、各種機器データを記憶している機器データベース３３３と、機器データに基づいて解析条件を設定する解析条件設定手段３３４と、解析手段３３５と、解析結果を出力する解析結果出力部３３６とからなる。
【００３８】
監視装置３１０に設けられたデータ取得手段３１２は、所定の周期、若しくは管制センタ３２０から送信される命令に基づいて、計測手段３０２ｂにより測定される監視対象機器３００の運転データ、及び計測手段３０２ａにより測定される制御装置３０１による制御に用いられる監視対象機器３００の運転データを取得し、データ記憶装置３１３に格納する。管制センタ３２０は、命令入力部３２５でデータ送信命令が入力されると、データ送信条件設定部３２４の設定条件に基づき命令送信手段３２３からデータ送信命令を送信する。監視装置３１０の命令受信手段３１４は、第一の情報通信ネットワークを経由して管制センタ３２０から送信されたデータ送信命令を受信する。制御部３１１は命令受信手段３１４が受信したデータ送信命令に基づき、必要に応じてデータ取得手段３１２に監視対象機器３００の運転データ、及び制御装置３０１の制御データを取得し、データ記憶装置３１３に格納するように指令する。さらに、制御部３１１は命令受信手段３１４が受信したデータ送信命令に基づき、データ記憶装置３１３に格納されているデータの一部または全部をデータ送信手段３１５にて送信する。管制センタ３２０のデータ受信手段３２１は、データ送信手段３１５が送信したデータを受信し、監視データ記憶装置３２２に格納する。
【００３９】
診断装置３３０のデータ取得手段３３１は、管制センタ３２０の監視データ記憶装置３２２に格納された運転データを第二の情報通信ネットワーク３５０を介して取得し、監視データ記憶部３３２に格納する。
【００４０】
解析手段３３５は、機器データベース３３３の情報に基づいて解析条件設定手段３３４が設定した条件、及び監視データ記憶部３３２に格納された運転データから動作諸量であるパラメータを計算し、解析結果出力部３３６に出力する。なお、パラメータの計算方法は図１及び図２に示す第一の実施例と同様の方法である。
【００４１】
本発明の性能評価方法を用いた遠隔診断システムによれば、複数時刻の測定データをまとめて使用することで測定点数を少なくすることができる。従って、診断のための測定手段３０２ｂの数を減らすことができ、診断システムの設置にかかるコストを少なくできる。また、１回の測定の測定データ数が少なくて済むのでデータ記憶装置３１３、監視データ記憶装置３２２、監視データ記憶部３３２等、の記憶容量を小さくすることができるという利点がある。さらに、情報通信ネットワークを介して送受信される測定データ数が少なくなるので、１回の測定データの通信量が少なくなり、通信時間や通信コストを少なくすることができる。
【００４２】
さらに、１回分の測定データが少ない場合、同じデータ容量で時刻点数を増やすことができため、突発的な異常の徴候をいち早く捉えることが可能になるという利点がある。
【００４３】
さらには、遠隔での診断を可能とするため、監視対象機器３００の運転状況の確認を専門の保守管理員により行うことが可能となるという利点がある。
【００４４】
なお、図７において、診断装置３３０は管制センタ３２０の内部にあってもよい。この場合、診断装置３３０の解析手段３３５は、管制センタ３２０の監視データ記憶装置３２２からデータを取得することにより、監視データ記憶部３３２を省略することができるという利点がある。また、機器データベース３３３を管制センタ３２０内に設け、解析条件設定手段３３４はデータ取得手段３３１を介して機器データを取得するようにしてもよい。さらに、図７では診断装置３３０は１つとしているが、複数設けてもよいことはいうまでもない。
【図面の簡単な説明】
【００４５】
【図１】吸収冷温水機の性能評価方法を説明するブロック図である。
【図２】吸収冷温水機の性能評価方法を説明するフローチャートである。
【図３】吸収冷温水機のサイクル動作状態を説明するためのサイクル図である。
【図４】未知数およびパラメータの種類を説明する表である。
【図５】測定結果の個数を説明するグラフである。
【図６】吸収冷温水機の診断システムを説明するブロック図である。
【図７】吸収冷温水機の遠隔診断システムを説明するブロック図である。
【符号の説明】
【００４６】
１…評価装置、２…測定装置、３…シミュレータ、４…パラメータ設定部、５…計算条件設定部、３００…監視対象機器、３１０…監視装置、３２０…管制センタ、３３０…診断装置。
【図１】
2007017032.tif 000003
【図２】
2007017032.tif 000004
【図３】
2007017032.tif 000005
【図４】
2007017032.tif 000006
【図５】
2007017032.tif 000007
【図６】
2007017032.tif 000008
【図７】
2007017032.tif 000009